(57)【要約】【課題】着用時に過度の圧迫等がなく、フィット感の良い、腰部を支持、安定させ、姿勢を補整するための下着を提供すること。【解決手段】腹部、脇部および腰部を、３段階の異なる伸長性、緊締力を有する編地組織で、継ぎ目なく延設し、筒状にしたサポート帯布を、ショーツ部に取り付けてなることを特徴とする骨盤周りのサポート帯布付きショーツ。【選択図】図１
2013185268.tif 000002
【特許請求の範囲】
【請求項１】
腹部、脇部および腰部を、３段階の異なる伸長性、緊締力を有する編地組織で、継ぎ目なく延設し、筒状にしたサポート帯布を、ショーツ部に取り付けてなることを特徴とする骨盤周りのサポート帯布付きショーツ。
【請求項２】
サポート帯布の編地組織において、腹部が相対的に伸長性が高い編地組織で、脇部が相対的に伸長性が中な編地組織で、腰部が相対的に伸長性が低い編地組織で形成されたものである請求項１記載の骨盤周りのサポート帯布付きショーツ。
【請求項３】
サポート帯布の脇部の編地組織が、脇部と腹部の境目ほぼ中央部分において、腹部編地組織中に凸出してなる請求項１または２記載の骨盤周りのサポート帯布付きショーツ。
【請求項４】
サポート帯布の腹部編地組織中に、当該腹部編地組織より伸長性が低く、緊締力が強い細幅布条を設けてなる請求項１ないし３の何れかの項記載の骨盤周りのサポート帯布付きショーツ。
【請求項５】
サポート帯布下端を、ショーツ部上端に取り付けてなる請求項１ないし４の何れかの項記載の骨盤周りのサポート帯布付きショーツ。
【請求項６】
サポート帯布上端を、ショーツ部上端に取り付けてなる請求項１ないし４の何れかの項記載の骨盤周りのサポート帯布付きショーツ。
【請求項７】
ショーツ部の下半部が、相対的に伸長性が高く緊締力が弱い布で形成され、その上に連続して相対的に伸長性が低く緊締力が強い布でショーツ上半部が形成された請求項第６項記載の骨盤周りのサポート帯布付きショーツ。
【発明の詳細な説明】
【技術分野】
【０００１】
本発明は、骨盤周りサポート帯布付きショーツに関する。
【背景技術】
【０００２】
従来より、着用時に腰部を支持、安定させ、姿勢を補整するための下着はいくつか提供されている。これらの下着は、骨盤周辺を骨盤上部と骨盤下部で着圧するものが多いが、このようなものでは、部分的にはそれなりに圧迫するが、それ以外の部分では弛んでしまい、フィット感が悪いものが多かった。
【０００３】
一方、骨盤全体を均一に着圧するような下着も提供されてはいるが、このようなものでは、着圧が弱いと腰部が安定せず、逆に強いと腹部を圧迫するという問題がある。さらに、カットソーにより、着圧強度を切り替えるものも知られているが、このようなものでは、縫い目や縫い代がアウターに響き、肌に刺激を与えるという問題がある。
【発明の概要】
【発明が解決しようとする課題】
【０００４】
本発明の課題は、着用時に過度の圧迫等がなく、フィット感の良い、腰部を支持、安定させ、姿勢を補整するための下着を提供するものである。
【課題を解決するための手段】
【０００５】
本発明者らは、着用時に過度の圧迫がなく、しかもフィット感の良い、骨盤周りを中心とした腰部を支持、安定させ、姿勢を補整するための下着に関し検討を行っていたところ、骨盤周りのサポーター帯布として、編地組織を成形により切り替えし、腹部、脇部、腰部に適した伸張度としたものを利用することで、上記課題が解決できることを見出し、本発明を完成した。
【０００６】
すなわち本発明は、腹部、脇部および腰部を、３段階の異なる伸長性、緊締力を有する編地組織で、継ぎ目なく延設し、筒状にしたサポート帯布を、ショーツ部に取り付けてなることを特徴とする骨盤周りのサポート帯布付きショーツである。
【０００７】
また本発明は、サポート帯布の編地組織において、腹部が相対的に伸長性が高い編地組織、脇部が相対的に伸長性が中な編地組織、腰部が相対的に伸長性が低い編地組織で形成されたものである上記の骨盤周りのサポート帯布付きショーツである。
【０００８】
更に本発明は、サポート帯布の脇部の編地組織が、脇部と腹部の境目ほぼ中央部分において、腹部編地組織中に凸出してなる上記記載の骨盤周りのサポート帯布付きショーツである。
【０００９】
更にまた本発明は、サポート帯布の腹部の編地組織中に、当該腹部編地組織より伸長性が低く、緊締力が強い細幅布条を設けてなる前記の骨盤周りのサポート帯布付きショーツである。
【発明の効果】
【００１０】
本発明の骨盤周りサポート帯布付きショーツは、これに設けられたサポート帯布が腹部、脇部および腰部において、３段階の異なる伸長性、緊締力を有する編地組織で構成されたものであるため、着用時に腰部を支持、安定させ、姿勢を補整すると共に、腹部を強く圧迫せず、好適な着心地を確保することができる。
【００１１】
また、脇部編地組織が、脇部と腹部の境目のほぼ中央部分で、腹部編地組織中に凸出する本発明の骨盤周りのサポート帯布付きショーツでは、サポート帯布中心と上下辺部の周径着圧が緩やかに変化するため、着用時に全体にフィットし、効果的な着圧となり、かつ着用後や洗濯時に見られる帯布中心の弛み（浮き）を防止できる。
【００１２】
従って、本発明の骨盤周りサポート帯布付きショーツは、長時間着用可能でかつ体型補整機能と着用感に優れる下着である。
【図面の簡単な説明】
【００１３】
【図１】本発明の一態様の骨盤周りサポート帯布付きショーツの正面図。
【図２】本発明の一態様の骨盤周りサポート帯布付きショーツの背面図。
【図３】本発明の別の態様の骨盤周りサポート帯布付きショーツの正面図。
【図４】骨盤周りサポート帯布付きショーツにおいて、サポート帯布２をたくし上げた状態の正面図。
【発明を実施するための形態】
【００１４】
次に、本発明のいくつかの実施態様を示す図面と共に本願発明を説明する。
【００１５】
図１は、本発明の一態様の骨盤周りサポート帯布付きショーツの正面図であり、図２はその背面図である。図中、１は骨盤周りサポート帯布付きショーツ、２はサポート帯布、３はショーツ部、４ａは直線布条、４ｂは弧状線布条、５は帯布上端、６は帯布下端をそれぞれ示す。
【００１６】
本発明の骨盤周りサポート帯布付きショーツ（以下、「サポートショーツ」と略称する）は、そのサポート帯布２に特徴を有する。このサポート帯布２は、弾性糸（ポリウレタン糸等）と非弾性糸（ナイロン糸または/およびポリエステル糸等）により接ぎ目なく筒状に形成し、成形編地（丸編）により形成されることが好ましい。このサポート帯布２は横方向に、編地組織を３段階で異なる伸長性、緊締力を有するものとされる。すなわち、腹部２ａを相対的に伸長性が高い編地組織（緊締力は弱い）、脇部２ｂを相対的に伸長性が中な編地組織（緊締力も中）、腰部２ｃを伸長性が低い編地組織（緊締力は強）でそれぞれ形成される。なお、伸長性とは生地の伸び易さをいい、緊締力とは伸長に対する生地の抵抗力をいう。
【００１７】
上記のように、サポート帯布２に、３段階の異なる伸長性、緊締力を配置する手段の一例としては、腹部２ａをレース編、脇部２ｂをリブ編、腰部２ｃを鹿の子編とするような編地組織を連設する方法が挙げられる。
【００１８】
そして、この腹部２ａ、脇部２ｂおよび腰部２ｃの編地組織は、これらを継ぎ目なく延設し、筒状とする。この２ａないし２ｃの編地組織の継ぎ目部分は、直線上でも良いが、好ましくは、例えば、腹部２ａと脇部２ｂの継ぎ目が、その中央部分で、腹部２ａ側に向い、凸出する形状、すなわち弧状を形成させてもよい。
【００１９】
上記のように、腹部２ａと脇部２ｂの継ぎ目が、その中央部分で、脇部２ｂから凸出する形状とすることで、サポート帯布の上下端と中心でその伸長性や緊締力を異なるものとすることができる。すなわち、サポート帯布２の前部では、腹部２ａの上下端において、最も伸長性が高い（緊締力が弱い）腹部２ａの長さの割合が多いため、この部分の伸びは相対的に高く、中心に向かって腹部２ａの割合が少なくなるため徐々に伸びにくくなり、中心において最も伸びにくくなる。このため、腹部２ａでは、中心での圧力が強く、中心から上下辺部に向かって緩やかに圧力が弱まる構造のため、着用時に全体にフィットし効果的な着圧となり着用感に優れ、かつ着用後や洗濯時に見られる帯布中心の弛み（浮き）を防止することが可能となるのである。
【００２０】
同様、腰部２ｃと脇部２ｂの継ぎ目も、その中央部分で、腰部２ｃ側に向い、凸出する弧状形状とし、上下辺部と中心で腰部２ｃの長さを異ならしめ、これらの間での着圧差を縮めても良い。
【００２１】
また、上記サポート帯布２においては、腹部２ａの編地組織に、腹部２ａの編地組織より伸長性が低く、緊締力が強い細幅布条４を、中央直線布条４ａと、その両側左右の弧状線布条４ｂとして設けても良い。これらの布条は、中心が最も狭くなるよう３本の支線のように設置することにより、サポート帯布２の中心を更に伸びにくくするため、腹部への圧力が強まり、中心から上下辺部に向かって緩やかに伸びやすく圧力が弱まる構造となり、前記の、着用時に全体にフィットし効果的な着圧となり着用感に優れ、かつ着用後や洗濯時に見られる帯布中心の弛みを防止するという効果をより高めることが可能となる。
【００２２】
本発明のサポートショーツ１において、図１および２の態様のものは、サポート帯布２の下端６と、ショーツ部の上端において縫製されている。
【００２３】
図３および４は、別の態様の本発明サポートショーツ１を示す図面であり、図３は通常の状態の正面図、図４はサポート帯布２をたくし上げた状態の正面図である。図中、３ａはショーツ下半部、３ｂはショーツ上半部を示す。
【００２４】
この態様のサポートショーツ１は、図１および２に示すものと異なり、サポート帯布２の上端５とショーツ部３の上端が一体化されており、使用時においては、このサポート帯布２を下ろし、ショーツ部３のほぼ上半分が覆われる。この際、サポート帯布２とショーツ部３は、上端以外で部分的に縫い合わされていても良い。
【００２５】
この態様のサポートショーツ１でのショーツ部３は、好ましくは、相対的に伸長性が高く緊締力が弱い布でショーツ下半部３ａを形成し、その上に連続して相対的に伸長性が低く緊締力が強い布でショーツ上半部３ｂを形成することで製造される。このようにすることで、サポート帯布２ａに加え、ショーツ上半部３ｂによる保持力が加わるため、より安定した骨盤周辺の保持力を得ることができる。なお、本実施態様のものは、図１および２の態様のものとは異なり、腹部２ａと脇部２ｂの継ぎ目の弧状がより緩やかに形成されており、脇部２ｂから凸出する割合も少ない。これは、ショーツ上半部３ｂによる保持力が加わるため、その分、サポート帯布２ａ部分の緊締力を低めに設定しても良いためである。よって、本実施態様のサポートショーツ全体の着圧を更に高めたいときは、腹部２ａと脇部２ｂの継ぎ目の弧状を、図１および２のようにより凸出して形成すれば良い。
【産業上の利用可能性】
【００２６】
本発明のサポートショーツは、腹部、脇部および腰部がそれぞれ性質の異なる編地で形成されたサポート帯布を有するため、着用時に腰を支持して安定させ、姿勢を補整すると共に、膨出する腹部を強くに圧迫せずに抑えることができ、優れた着心地を確保することができるものである。
【００２７】
従って、骨盤矯正などの目的の他、正しい姿勢で生活するための姿勢の補整等に用いる下着として、日常的に使用できるものである。
【符号の説明】
【００２８】
１……骨盤周りサポート帯布付きショーツ
２……サポート帯布
２ａ……腹部
２ｂ……脇部
２ｃ……腰部
３……ショーツ部
３ａ……ショーツ下半部
３ｂ……ショーツ上半部
４……布条
４ａ……直線布条
４ｂ……弧状線布条
５……帯布上端
６……帯布下端
【図１】
2013185268.tif 000003
【図２】
2013185268.tif 000004
【図３】
2013185268.tif 000005
【図４】
2013185268.tif 000006